(57)【要約】    【構成】携帯電話機１０は、平面矩形である、第１筐体Ｃ１、第２筐体Ｃ２および第３筐体Ｃ３を備える。第２筐体Ｃ２の長辺が第１筐体Ｃ１の長辺より長いため、第１筐体Ｃ１の閉状態において、第２筐体Ｃ２の上面が遮蔽部と露出部とに区分される。また、第１筐体Ｃ１の上面にはディスプレイ２６が設けられる。さらに、第２筐体Ｃ２の上面には、遮蔽部にＱＷＥＲＴＹキーボード２２ｂが設けられ、露出部にポインティングデバイスである十字キーを含むタッチキー３２が設けられる。そして、第３筐体Ｃ３の上面には、第３筐体がスライドすることで露出するテンキー２２ａが設けられる。    【効果】ポインティングデバイスとＱＷＥＲＴＹキーボードとを同じ面に設けることで、文字入力操作とポインティング操作を同時に行うことが可能な携帯電話機１０の操作性を高めることができる。【選択図】図２
2011010051.tif 000002
【特許請求の範囲】
【請求項１】
第１長辺と第１短辺とからなる平面矩形の第１筐体、
第２長辺と第２短辺とからなる平面矩形の第２筐体、および
前記第２筐体の上に前記第１筐体を重ねた状態で、前記第１筐体を短辺方向へスライド可能に連結する第１スライド機構を備え、
前記第２長辺は前記第１長辺より長く、そのために前記第１筐体の閉状態において、前記第２筐体の上面が遮蔽部と露出部とに区分され、さらに
前記第２長辺と略同じ長さの第３長辺と第３短辺とからなる平面矩形の第３筐体、
前記第２筐体の下に前記第３筐体を重ねた状態で、前記第３筐体を長辺方向へスライド可能に連結する第２スライド機構、
前記第１筐体の上面に設けられる表示装置、
前記第２筐体の上面の前記遮蔽部に設けられるＱＷＥＲＴＹキーボード、
前記第２筐体の上面の前記露出部に設けられ、それの操作に応じて前記表示装置上の位置を指定するポインティングデバイス、および
前記第３筐体が長辺方向にスライドしたときに露出し、第３筐体の上面に設けられるテンキーを備える、携帯電話機。
【請求項２】
前記ＱＷＥＲＴＹキーボードは、長辺方向の中心が前記表示装置の長辺方向の中心と一致するように設けられる、請求項１記載の携帯電話機。
【請求項３】
第１長辺と第１短辺とからなる平面矩形の第１筐体、
第２長辺と第２短辺とからなる平面矩形の第２筐体、および
前記第２筐体の上に前記第１筐体を重ねた状態で、前記第１筐体を短辺方向へスライド可能に連結する第１スライド機構を備え、
前記第２長辺は前記第１長辺より長く、そのために前記第１筐体の閉状態において、前記第２筐体の上面が遮蔽部と露出部とに区分され、さらに
前記第１筐体の上面に設けられる表示装置、
前記第２筐体の上面の前記遮蔽部に設けられるＱＷＥＲＴＹキーボード、および
前記第２筐体の上面の前記露出部に設けられ、それの操作に応じて前記表示装置上の位置を指定するポインティングデバイスを備える、携帯電話機。
【発明の詳細な説明】
【技術分野】
【０００１】
この発明は、携帯電話機に関し、特にたとえばスライド型の携帯電話機に関する。
【背景技術】
【０００２】
従来、特にたとえばスライド型の携帯電話機が知られており、この種の携帯電話機の一例が、特許文献１に開示されている。特許文献１の電子装置は、移動可能に相互接続された３つのモジュール層を有する。一番上のモジュール層にはディスプレイ装置および指向性キーパッドなど設けられ、中間のモジュール層には電話キーパッドなどが設けられ、一番下のモジュール層にはＱＷＥＲＴＹキーボードが設けられる。
【０００３】
一番上のモジュール層が、他のモジュール層に対して第１の方向に移動されると、電話キーパッドが露出する。電話キーパッドが露出した状態の電子装置は電話モードなどになり、ユーザは電子装置を携帯電話として利用することができる。
【０００４】
一番下のモジュール層が、他のモジュール層に対して第２の方向に移動されると、ＱＷＥＲＴＹキーボードが露出する。ＱＷＥＲＴＹキーボードが露出した状態の電子装置はＰＤＡモードになり、ユーザは電子装置をＰＤＡとして利用することができる。
【０００５】
また、特許文献２に開示される携帯電話は、電話用のテンキーが設けられるテンキーケースを最下段にして、フルキーケースを中段、液晶表示部およびカーソルキーが設けられた表示部ケースを上段に配置して重ね合わせた３段重ねのケース構造を有する。この携帯電話では、テンキーケースをスライドさせると通話スタイルとなり、使用者は電話をかけることができる。また、表示部ケースがフルキーケースに対して１８０度回転させられると、携帯電話はキーボードスタイルとなり、使用者はE-mailの作成などを両手で容易に行うことができる。
【先行技術文献】
【特許文献】
【０００６】
【特許文献１】特開２００９−１１０５１４号公報［G06F 3/02, H04M 1/02, G06F 1/16 H04M 1/23 H04M 1/247］
【特許文献２】特開２００７−１７９５２５号公報［G06F 1/16, H04M 1/02, G06F 3/02 H05K 5/02］
【発明の概要】
【発明が解決しようとする課題】
【０００７】
ところが、特許文献１の電子機器では、文字を入力するＱＷＥＲＴＹキーボードと、ポインティングデバイスとして利用可能な指向性キーパッドとが設けられるモジュール層が異なるため、キー操作の操作性が悪くなる。たとえば、ユーザがＱＷＥＲＴＹキーボードと指向性キーパッドとを同時に一本の指（親指など）で操作すると、指を一度離す動作を行わなければならない。
【０００８】
そして、特許文献２に開示される携帯電話においても、同様の問題が発生してしまう。
【０００９】
それゆえに、この発明の主たる目的は、新規な、携帯電話機を提供することである。
【００１０】
この発明の他の目的は、操作性が良い、携帯電話機を提供することである。
【課題を解決するための手段】
【００１１】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【００１２】
第１の発明は、第１長辺と第１短辺とからなる平面矩形の第１筐体、第２長辺と第２短辺とからなる平面矩形の第２筐体、および第２筐体の上に第１筐体を重ねた状態で、第１筐体を短辺方向へスライド可能に連結する第１スライド機構を備え、第２長辺は第１長辺より長く、そのために第１筐体の閉状態において、第２筐体の上面が遮蔽部と露出部とに区分され、さらに第２長辺と略同じ長さの第３長辺と第３短辺とからなる平面矩形の第３筐体、第２筐体の下に第３筐体を重ねた状態で、第３筐体を長辺方向へスライド可能に連結する第２スライド機構、第１筐体の上面に設けられる表示装置、第２筐体の上面の遮蔽部に設けられるＱＷＥＲＴＹキーボード、第２筐体の上面の露出部に設けられ、それの操作に応じて表示装置上の位置を指定するポインティングデバイス、および第３筐体が長辺方向にスライドしたときに露出し、第３筐体の上面に設けられるテンキーを備える、携帯電話機である。
【００１３】
第１の発明では、携帯電話機（１０）は、平面矩形である、第１筐体（Ｃ１）、第２筐体（Ｃ２）および第３筐体（Ｃ３）を備える。また、第２筐体の第２長辺が第１筐体の第１長辺より長いため、第１筐体と第２筐体とが重なる第１筐体の閉状態において、第２筐体の上面が遮蔽部と露出部とに区分される。さらに、第１筐体と第２筐体とは、第１スライド機構（５０）によって第１筐体を短辺方向へスライド可能に連結され、第２筐体と第３筐体とは、第２スライド機構（６０）によって第３筐体を長辺方向へスライド可能に連結される。
【００１４】
また、第１筐体の上面には表示装置（２６）が設けられる。さらに、第２筐体の上面では、遮蔽部にＱＷＥＲＴＹキーボード（２２ｂ）が設けられ、露出部にポインティングデバイス（３２，７０，７２，７４）が設けられる。また、ポインティングデバイスは、たとえば使用者による操作に応じて表示装置上の位置を指定する。そして、第３筐体の上面にはテンキー（２２ａ，８０，８２）が設けられ、テンキーは第３筐体が長辺方向にスライドしたときに露出する。
【００１５】
第１の発明によれば、ポインティングデバイスとＱＷＥＲＴＹキーボードとを同じ面に設けることで、文字入力操作とポインティング操作を同時に行うことが可能な携帯電話機の操作性を高めることができる。
【００１６】
さらに、使用者は、第３筐体をスライドさせてテンキーを露出させることで、従来のようなスライド型の携帯電話機として利用することができる。
【００１７】
第２の発明は、第１の発明に従属し、ＱＷＥＲＴＹキーボードは、長辺方向の中心が表示装置の長辺方向の中心と一致するように設けられる。
【００１８】
第２の発明では、ＱＷＥＲＴＹキーボードの長辺方向の中心（Ｐ１）と、表示装置の長辺方向の中心（Ｐ２）とが一致するように、ＱＷＥＲＴＹキーボードおよび表示装置が設けられる。
【００１９】
第２の発明によれば、使用者は、表示装置とＱＷＥＲＴＹキーボードとの中心が一致していない携帯電話機に比べて、文字入力のキー操作が行いやすくなる。つまり、携帯電話機の開発メーカは、使用者にとって使いやすい携帯電話機を提供できる。
【００２０】
第３の発明は、第１長辺と第１短辺とからなる平面矩形の第１筐体、第２長辺と第２短辺とからなる平面矩形の第２筐体、および第２筐体の上に第１筐体を重ねた状態で、第１筐体を短辺方向へスライド可能に連結する第１スライド機構を備え、第２長辺は第１長辺より長く、そのために第１筐体の閉状態において、第２筐体の上面が遮蔽部と露出部とに区分され、さらに第１筐体の上面に設けられる表示装置、第２筐体の上面の遮蔽部に設けられるＱＷＥＲＴＹキーボード、および第２筐体の上面の露出部に設けられ、それの操作に応じて表示装置上の位置を指定するポインティングデバイスを備える、携帯電話機である。
【００２１】
第３の発明では、携帯電話機（１０）は、平面矩形である、第１筐体（Ｃ１）および第２筐体（Ｃ２）を備える。また、第２筐体の第２長辺が第１筐体の第１長辺より長いため、第１筐体と第２筐体とが重なる第１筐体の閉状態において、第２筐体の上面が遮蔽部と露出部とに区分される。さらに、第１筐体と第２筐体とは、第１スライド機構（５０）によって第１筐体を短辺方向へスライド可能に連結される。
【００２２】
また、第１筐体の上面には表示装置（２６）が設けられる。さらに、第２筐体の上面では、遮蔽部にＱＷＥＲＴＹキーボード（２２ｂ）が設けられ、露出部にポインティングデバイス（３２，７０，７２，７４）が設けられる。また、ポインティングデバイスは、たとえば使用者による操作に応じて表示装置上の位置を指定する。
【００２３】
第３の発明によれば、第１の発明と同様に、ポインティングデバイスとＱＷＥＲＴＹキーボードとを同じ面に設けることで、文字入力操作とポインティング操作を同時に行うことが可能な携帯電話機の操作性を高めることができる。
【発明の効果】
【００２４】
この発明によれば、ポインティングデバイスとＱＷＥＲＴＹキーボードとを同じ面に設けることで、文字入力操作とポインティング操作を同時に行うことが可能な携帯電話機の操作性を高めることができる。
【００２５】
この発明の上述の目的、その他の目的、特徴および利点は、図面を参照して行う以下の実施例の詳細な説明から一層明らかとなろう。
【図面の簡単な説明】
【００２６】
【図１】図１は本発明の一実施例の携帯電話機の電気的な構成を示すブロック図である。
【図２】図２は図１に示す携帯電話機の外観の一例を示す図解図である。
【図３】図３は図１に示す携帯電話機に含まれるスライド機構の外観の一例を示す図解図である。
【図４】図４は図２に示すＱＷＥＲＴＹキーボードおよびタッチキーに対する操作の一例を示す図解図である。
【図５】図５は図２に示すディスプレイとＱＷＥＲＴＹキーボードとの位置関係を示す図解図である。
【図６】図６は図２に示すタッチキーに代えて設けられる、他のポインティングデバイスの一例を示す図解図である。
【図７】図７は図２に示すテンキーに代えて設けられる、サブディスプレイおよびタッチパネルの一例を示す図解図である。
【図８】図８は図７に示すサブディスプレイに表示される他のＧＵＩの一例を示す図解図である。
【図９】図９は図１に示すＲＡＭのメモリマップの一例を示す図解図である。
【図１０】図１０は図１に示すプロセサの表示制御処理を示すフロー図である。
【発明を実施するための形態】
【００２７】
＜第１実施例＞
図１を参照して、携帯電話機１０は、プロセサ（CPUまたはコンピュータと呼ばれることもある。）２０、キー入力装置２２およびタッチキー３２を含む。プロセサ２０は、CDMA方式に対応する無線通信回路１４を制御して発呼信号を出力する。出力された発呼信号は、アンテナ１２から送出され、基地局を含む移動通信網に送信される。通話相手が応答操作を行うと、通話可能状態が確立される。
【００２８】
通話可能状態に移行した後に、キー入力装置２２およびタッチキー３２によって通話終了操作が行われると、プロセサ２０は、無線通信回路１４を制御して、通話終了信号を送信する。そして、通話終了信号の送信後、プロセサ２０は、通話処理を終了する。また、先に通話終了信号を受信した場合も、プロセサ２０は、通話処理を終了する。さらに、通話相手によらず、移動通信網から通話終了信号を受信した場合も、プロセサ２０は通話処理を終了する。
【００２９】
携帯電話機１０が起動している状態で通話相手からの発呼信号がアンテナ１２によって捉えられると、無線通信回路１４は、着呼をプロセサ２０に通知する。プロセサ２０は、図示しないスピーカから着呼音（着信音ともいう）を出力させ、着呼を使用者に通知する。なお、図示しないバイブレータを駆動させることで携帯電話機１０を振動させ、着呼を使用者に通知してもよい。そして、プロセサ２０は、表示ドライバ２４を制御することで、発呼信号と共に通話相手から送信される発信元情報を表示装置であるディスプレイ２６に表示させる。
【００３０】
通話可能状態では、次のような処理が実行される。通話相手から送られてきた変調音声信号（高周波信号）は、アンテナ１２によって受信される。受信された変調音声信号は、無線通信回路１４によって復調処理および復号処理が施される。そして、得られた受話音声信号は、スピーカ１８から出力される。一方、マイク１６によって取り込まれた送話音声信号は、無線通信回路１４によって符号化処理および変調処理が施される。そして、生成された変調音声信号は、上述と同様、アンテナ１２を利用して通話相手に送信される。
【００３１】
タッチキー３２は、タッチセンサーとも呼ばれ、指がタッチキー３２の表面に接近して生じた電極間の静電容量の変化を検出する静電容量方式と呼ばれる方式で、指がタッチキー３２に触れたことを検出する。そして、プロセサ２０は、タッチキー３２が指を検出すると、所定の処理を実行する。たとえば、キー入力装置２２によって電話番号が入力された後に、指がタッチキー３２に触れると、プロセサ２０は無線通信回路１４を制御して発呼信号を出力する。
【００３２】
また、携帯電話機１０は、データ通信機能を備えており、図示しないサーバとのデータ通信を行い、天気情報や、交通情報などの多くの情報（データ）を取得することができる。なお、データ通信中における、アンテナ１２および無線通信回路１４は通信手段として機能し、図示しないサーバは有線または無線でネットワークと接続されている。
【００３３】
図２（Ａ）は携帯電話機１０の閉状態の外観を示す図解図であり、図２（Ｂ）は携帯電話機１０の第１開状態の外観を示す図解図であり、図２（Ｃ）は携帯電話機１０の第２開状態の外観を示す図解図である。図２（Ａ）、図２（Ｂ）、図２（Ｃ）を参照して、携帯電話機１０は、第１短辺および第１長辺とからなる平面矩形の第１筐体Ｃ１、第２短辺および第２長辺とからなる平面矩形の第２筐体Ｃ２および第３短辺および第３長辺とからなる平面矩形の第３筐体Ｃ３を備える。
【００３４】
第１筐体Ｃ１は第２筐体Ｃ２の上に重ねられた状態で、第１スライド機構５０（図３（Ａ）参照）によって、スライド可能に連結される。これにより、第１筐体Ｃ１は、第２筐体Ｃ２に対して短辺方向にスライドする。また、第２筐体Ｃ２の第２長辺は第１筐体Ｃ１の第１長辺より長いため、図２（Ａ）および図２（Ｂ）に示す第１筐体の閉状態において、第２筐体の上面が遮蔽部と露出部とに区分される。
【００３５】
第３筐体Ｃ３は第２筐体Ｃ２の下に重ねられた状態で、第２スライド機構６０（図３（Ｂ）参照）によって、スライド可能に連結される。これにより、第３筐体Ｃ３は、第２筐体Ｃ２に対して長辺方向にスライドする。また、第３筐体の第３長辺は、第２筐体の第２長辺より僅かに長くてもよいし、僅かに短くてもよい。さらに、第３長辺と第２長辺とが同じ長さであってもよい。つまり、第３長辺と第２長辺とは略同じ長さである。
【００３６】
ここで、携帯電話機１０が備える第１スライド機構５０および第２スライド機構６０について説明する。図３（Ａ）を参照して、第１スライド機構５０は、第１プレート５２、第２プレート５４および１対のバネ５６ａ，５６ｂから構成されている。
【００３７】
第１スライド機構５０は、第１筐体Ｃ１と第２筐体Ｃ２との間に介在し、第１プレート５２は第１筐体Ｃ１の下面に連結され、第２プレート５４は第２筐体Ｃ２の上面に連結される。そして、第１プレート５２は、第２プレート５４に対して短辺方向（図３（Ａ）では上下方向）にスライドするように組み合わせられる。これにより、第１プレート５２が第２プレート５４に対してスライドすることで、第１筐体Ｃ１が第２筐体Ｃ２に対して短辺方向へスライドする。なお、本実施例では、第１プレート５２および第２プレート５４は、それぞれ第１筐体Ｃ１および第２筐体Ｃ２に対して、ネジにより軸止めされることで連結されてもよいし、凹部と凸部との嵌合などによって連結されてもよい。
【００３８】
また、１対のバネ５６ａとバネ５６ｂとは、一方端が第１プレート５２に留められ、他方端が第２プレート５４に留められる。そして、バネ５６ａとバネ５６ｂとの弾力によって、第１プレート５２と第２プレート５４との状態を保持する。また、バネ５６ａとバネ５６ｂとの力の方向は、第１プレート５２が一定量までスライドすると逆転する。つまり、バネ５６ａとバネ５６ｂとによる力の方向が逆転するため、第１プレート５２が上に位置する状態と第１プレート５２が下に位置する状態とがそれぞれ保持される。
【００３９】
図３（Ｂ）を参照して、第２スライド機構６０は、第３プレート６２、第４プレート６４およびバネ６６から構成される。第２スライド機構６０は、第２筐体Ｃ２と第３筐体Ｃ３との間に介在し、第３プレート６２は第２筐体Ｃ２の下面に連結され、第４プレート６４は第３筐体Ｃ２の上面に連結される。そして、第３プレート６２は、第４プレート６４に対して長辺方向（図３（Ｂ）では左右方向）にスライドするよう、組み合わせられる。つまり、第４プレート６２がスライドすることで、第３筐体Ｃ３が第２筐体Ｃ２に対して長辺方向にスライドする。
【００４０】
また、第２スライド機構６０のバネ６６は、第１スライド機構５０におけるバネ５６ａ，５６ｂと同様に機能することで、第３プレート６２と第４プレート６４との状態を保持する。
【００４１】
なお、第１筐体Ｃ１と第２筐体Ｃ２とは、スライドの影響を受けないフレキシブルハーネスによって電気的に接続され、第２筐体Ｃ２と第３筐体Ｃ３とについても同様に接続される。また、バネ５６ａ，５６ｂおよびバネ６４にコイルバネを用いたが、板バネなどの他の種類のバネが用いられてもよい。
【００４２】
図２（Ａ）、図２（Ｂ）、図２（Ｃ）を再度参照して、図示しないマイク１６は、第３筐体Ｃ３に内蔵され、内蔵されたマイク１６に通じる開口は図示を省略するが、第３筐体Ｃ３の上面に設けられる。同じく、図示しないスピーカ１８は、第１筐体Ｃ１に内蔵され、内蔵されたスピーカ１８に通じる開口ＯＰは、第１筐体Ｃ１の長辺方向一方の上面に設けられる。
【００４３】
キー入力装置２２は、０〜９の数字キーなどから構成されるテンキー２２ａおよびＱＷＥＲＴＹ配列のＱＷＥＲＴＹキーボード２２ｂを含む。また、テンキー２２ａは第３筐体Ｃ３の上面に設けられ、ＱＷＥＲＴＹキーボード２２ｂは第２筐体の上面における遮蔽部に設けられる。
【００４４】
ディスプレイ２６は、モニタ画面が第１筐体Ｃ１の上面に露出するように設けられる。また、ディスプレイ２６の表示は、携帯電話機１０の状態によって表示方向が切り替わる。具体的には、傾きセンサ３２が検出する携帯電話機１０の傾きに基づいて切り替えられる。傾きセンサ３２は、半導体式の３軸の加速度センサであり、各軸の重力加速度をプロセサ２０に出力する。そして、プロセサ２０は、各軸の重力加速度の値に対して逆三角関数を用いて、携帯電話機１０の傾きを検出する。そして、携帯電話機１０は、図２（Ａ）および図２（Ｂ）に示す縦向きの状態であればディスプレイ２６の表示を縦向きにし、図２（Ｃ）に示す横向きの状態であればディスプレイ２６の表示を横向きにする。
【００４５】
タッチキー３２は、ポインティングデバイスとして機能する十字キー、使用者による操作結果を確定する確定キー、通話キーおよび終話キーを含む。そして、タッチキー３２は、第２筐体Ｃ２の上面における露出部に設けられる。つまり、ＱＷＥＲＴＹキーボード２２ｂとタッチキー３２とが略同じ平面に設けられる。
【００４６】
たとえば、使用者は、ディスプレイ２６を確認しながら、テンキー２２ａを操作して電話番号を入力し、タッチキー３２に含まれる通話キーにタッチすることによって発呼操作を行い、終話キーにタッチすることで通話終了操作を行う。また、使用者は、十字キーによって上下、左右方向の入力操作を行い、その操作結果を確定キーによって確定することができる。
【００４７】
なお、アンテナ１２、表示ドライバ２４、フラッシュメモリ２８、ＲＡＭ３０および傾きセンサ３４は、第１筐体Ｃ１、第２筐体Ｃ２または第３筐体Ｃ３のいずれかに内蔵されており、図２（Ａ）、図２（Ｂ）、図２（Ｃ）では、図示されない。また、他の外観図では、第１筐体Ｃ１、第２筐体Ｃ２、第３筐体Ｃ３、開口ＯＰ、テンキー２２ａ、ＱＷＥＲＴＹキーボード２２ｂ、ディスプレイ２６およびタッチキー３２の参照符号を、簡単のため省略することがある。
【００４８】
第１磁気センサ３６は第２筐体Ｃ２に内蔵され、第１磁気センサ３６と対となる、図示しない第１磁石は第３筐体Ｃ３に内蔵される。また、第１磁気センサ３６と第１磁石とは、図２（Ａ）に示す閉状態で最も近づき、図２（Ｂ）に示す第１開状態で最も離れるように、それぞれ内蔵される。つまり、第１磁気センサ３６は、図２（Ｂ）に示す第１開状態を検出する。
【００４９】
また、第２磁気センサ３８は第１磁気センサ３６とは異なる位置で第２筐体Ｃ２に内蔵され、第２磁気センサ３８と対となる、図示しない第２磁石は第１筐体Ｃ１に内蔵される。また、第２磁気センサ３８と第２磁石とは、閉状態で最も近づき、図２（Ｃ）に示す第２開状態で最も離れるように、それぞれ内蔵される。つまり、第２磁気センサ３８は、図２（Ｃ）に示す第２開状態を検出する。
【００５０】
たとえば、使用者は、閉状態でアドレス帳などのデータを読み出し、第１開状態で他の携帯電話機１０などに電話をかける。そして、使用者は、第２開状態でデータ通信機能を実行することで、サーバに記憶されている多くのデータを取得する。
【００５１】
図４は、第２開状態の携帯電話機１０に対する、使用者による操作の一例を示す図解図である。図４を参照して、ディスプレイ２６には、データ通信機能によって得られた、或る検索サイトのトップ画面が表示される。また、ディスプレイ２６には表示範囲内の位置を任意に指定する矢印アイコンＹが表示されており、使用者は、十字キーによって矢印アイコンＹを移動させる操作を行う。なお、本実施例では、ポインティングデバイスである十字キーに対する操作を「ポインティング操作」と言うことにする。
【００５２】
たとえば、使用者は、自身の親指でポインティング操作を行い、確定キーを操作することで、文字入力範囲ＣＩＡを指定することができる。そして、使用者は、文字入力範囲ＣＩＡを指定した後に、自身の親指を第２筐体Ｃ２の上面から離さずに移動させることで、ＱＷＥＲＴＹキーボード２２ｂを操作することができる。つまり、ＱＷＥＲＴＹキーボード２２ｂとポインティングデバイスであるタッチキー３２とが略同じ平面に設けられているため、使用者は自身の親指を、第２筐体Ｃ２の上面から離さずに移動させるだけで、ポインティング操作とＱＷＥＲＴＹキーボードに対する文字入力操作とを容易に切り替えることができる。
【００５３】
また、図５を参照して、本実施例のＱＷＥＲＴＹキーボード２２ｂは、長辺方向の中心である点Ｐ１が、ディスプレイ２６の長辺方向の中心である点Ｐ２と一致するように設けられる。これにより、使用者は、ディスプレイ２６とＱＷＥＲＴＹキーボードとの中心が一致していない場合に比べて、文字入力操作が行いやすくなる。つまり、携帯電話機１０の開発メーカは、使用者にとって使いやすい携帯電話機１０を提供できるようになる。
【００５４】
なお、本実施例におけるポインティングデバイスには、タッチキー３２に含まれる、十字キーを利用したが、図６(Ａ)に示すポインティングスティック（TrackPoint（登録商標）、アキュポイント（登録商標）、ニューロポインタ（登録商標）ともいう）７０や、図６（Ｂ）に示すトラックボール７２などによって、矢印カーソルＹを操作するようにしてもよい。また、タッチキー３２に含まれる確定キーに代えて、図６（Ｃ）に示すジョグダイヤル７４を備えるようにしてもよい。そして、ポインティングスティック７０、トラックボール７２およびジョグダイヤル７４は、操作する部位が、第２筐体Ｃ２の上面に対して飛び出さないように設けられる。
＜第２実施例＞
第２実施例では、第１実施例のテンキー２２ａに代えて、サブディスプレイ８０およびサブディスプレイ８０の上に設けられるタッチパネル８２を備えるようにしてもよい。
【００５５】
また、図７を参照して、第２筐体Ｃ２の露出部には、モニタ画面が露出するようにサブディスプレイ８０が設けられる。そして、サブディスプレイ８０の上面には、静電容量方式のタッチパネル８２が設けられる。
【００５６】
また、第２実施例では、携帯電話機１０が第１開状態である場合に、図８（Ａ）−（Ｃ）に示すＧＵＩがサブディスプレイ８０に表示される。図８（Ａ）を参照して、サブディスプレイ８０には、テンキー２２ａに相当するキー配置で、０−９の数字キーなどが表示される。つまり、サブディスプレイ８２およびタッチパネル８２は、第１実施例のテンキー２２ａに相当し、使用者は、テンキー２２ａを表すＧＵＩを操作することで、電話番号を入力する。
【００５７】
また、ＴＶチューナを備え、ＴＶ視聴機能を実行する携帯電話機１０であれば、図８（Ｂ）に示すチャンネルキーのＧＵＩがサブディスプレイ８０に表示される。この場合、携帯電話機１０は、ディスプレイ２６に受信した画像を表示し、サブディスプレイ８０にＧＵＩを表示することで、タッチパネル８２によってチャンネル操作を受け付ける。さらに、音楽プレイヤ機能を有する携帯電話機１０であれば、図８（Ｃ）に示すサブメニューキーのＧＵＩがサブディスプレイ８０に表示されてもよい。たとえば、音楽機能が実行された場合に、ディスプレイ２６には、曲名や、音楽データの再生に関係するＧＵＩが表示され、サブディスプレイ８０に、再生中の音楽データを変更するメニューキー、音質を変更するメニューキーおよびサブディスプレイ８０の表示を設定するためのメニューキーが表示される。そして、使用者は、タッチパネル８２に対するタッチ操作によって、任意のメニューキーを操作する。
【００５８】
図９は、ＲＡＭ３０のメモリマップを示す図解図である。図９を参照して、ＲＡＭ３０のメモリマップには、プログラム記憶領域３０２およびデータ記憶領域３０４が含まれる。プログラムおよびデータの一部は、フラッシュメモリ２８から一度に全部または必要に応じて部分的にかつ順次的に読み出され、ＲＡＭ３０に記憶されてからプロセサ２０などで処理される。
【００５９】
プログラム記憶領域３０２は、携帯電話機１０を動作させるためのプログラムを記憶されており、たとえば表示制御プログラム３１０などが記憶される。表示制御プログラム３１０は、図８（Ａ）−（Ｃ）に示すＧＵＩの表示を制御するためのプログラムである。なお、図示は省略するが、携帯電話機１０動作させるためのプログラムは、通話を行うためのプログラムおよびネットワークのサーバとのデータ通信を行うためのプログラムなどを含む。
【００６０】
データ記憶領域３０４には、傾きバッファ３３０、表示ＧＵＩバッファ３３２などが設けられる。また、データ記憶領域３０４には、実行機能一覧データ３３４、ＧＵＩデータ３３６などが記憶されると共に、姿勢フラグ３３８、第１開状態フラグ３４０および第２開状態フラグ３４２なども設けられる。
【００６１】
傾きバッファ３３０は、傾きセンサ３４から出力される重力加速度のデータが一時的に記憶されるバッファである。表示ＧＵＩバッファ３３２は、サブディスプレイ８０に表示されるＧＵＩの画像データが一時的に記憶されるバッファである。
【００６２】
実行機能一覧データ３３２は、携帯電話機１０で実行されている機能に対応する機能ＩＤが記憶されるデータであり、たとえばテーブル形式で記憶される。また、この実行機能一覧データ３３２は、携帯電話機１０で実行される機能が変更する毎に更新される。ＧＵＩデータ３３６は、サブディスプレイ８０に表示されるＧＵＩの画像データや、文字列データなどから構成される。
【００６３】
姿勢フラグ３３８は、携帯電話機１０の状態を判断するためのフラグである。たとえば、姿勢フラグ３３８は、１ビットのレジスタで構成され、オン（成立）されると、レジスタにはデータ値「１」が設定される。一方、姿勢フラグ３３８がオフ（不成立）されると、レジスタにはデータ値「０」が設定される。また、姿勢フラグ３３８は、傾きバッファ３３０に格納されたデータに基づいてオン／オフが切り替えられる。なお、本実施例では、姿勢フラグ３３８は、図２（Ａ）および図２（Ｂ）に示す縦向きの状態ではオンになり、図２（Ｃ）に示す横向きの状態ではオフになる。
【００６４】
第１開状態フラグ３４０は、図２（Ｂ）に示す第１開状態であるか否かを判断するためのフラグである。第２開状態フラグ３４２は、図２（Ｃ）に示す第２開状態であるか否かを判断するためのフラグである。また、第１開状態フラグ３４０および第２開状態フラグ３４２のオン／オフは、第１磁気センサ３６および第２磁気センサ３８が出力する値に基づいて切り替えられる。
【００６５】
なお、図示は省略するが、データ記憶領域３０４には、待受画面で表示される待受画像データや、他の携帯電話機１０に設定されている電話番号などから構成されるアドレス帳データなどが記憶されると共に、携帯電話機１０の動作に必要なカウンタや、フラグも設けられる。
【００６６】
プロセサ２０は、「Linux（登録商標）」および「REX」などのRTOS(Real-time Operating System)の制御下で、図１０に示す表示制御処理などを含む、複数のタスクを並列的に処理する。
【００６７】
図１０は表示制御処理のフロー図である。たとえば、携帯電話機１０の電源がオンにされると、プロセサ２０は、ステップＳ１で第１開状態であるか否かを判断する。つまり、第１開状態フラグ３４０がオンであるか否かを判断する。ステップＳ１で“ＮＯ”であれば、つまり第１開状態でなければ、ステップＳ１の判断を繰り返し実行する。一方、ステップＳ１で“ＹＥＳ”であれば、つまり第１開状態であれば、ステップＳ３に進む。
【００６８】
ステップＳ３では、実行される機能の機能ＩＤを取得する。つまり、実行機能一覧データ３３４から、実行される機能の機能ＩＤを取得する。続いて、ステップＳ５では、機能ＩＤに対応するＧＵＩデータ３３６を読み出す。つまり、ステップＳ３で読みだされた機能ＩＤに基づいて、実行される機能に対応するＧＵＩの画像データを、ＧＵＩデータ３３６から読出し、表示ＧＵＩバッファ３３２に格納する。たとえば、ステップＳ３で、ＴＶ視聴機能の機能ＩＤが読みだされた場合には、チャンネルキー（図８（Ｂ）参照）を表すＧＵＩの画像データが、ＧＵＩデータ３３６から読み出される。
【００６９】
続いて、ステップＳ７では、ＧＵＩを表示する。つまり、表示ＧＵＩバッファ３３２に格納される画像データを、サブディスプレイ８０に表示する。たとえば、サブディスプレイ８０には、図８（Ｂ）に示すチャンネルキーのＧＵＩが表示される。続いて、ステップＳ９では、開状態であるか否かを判断する。つまり、第１開状態フラグ３４０に基づいて、携帯電話機１０が第１開状態から閉状態に遷移したか否かを判断する。ステップＳ９で“ＮＯ”であれば、つまり第２開状態であれば、ステップＳ９の判断を繰り返し実行する。一方、ステップＳ９で“ＹＥＳ”であれば、つまり閉状態に遷移すればステップＳ１１に進む。続いて、ステップＳ１１では、ＧＵＩの表示を消去し、ステップＳ１に戻る。つまり、ステップＳ１１では、ＧＵＩを表示するサブディスプレイ８０の表示を消去する。
【００７０】
このように、第２実施例では、テンキー２２ａの代わりに、サブディスプレイ８０およびタッチパネル８２を利用することができる。また、第２実施例では、表示制御処理が実行されるため、サブディスプレイ８０およびタッチパネル８２を、携帯他電話機１０で実行される機能に応じて活用可能な、入力補助手段として機能させることもできる。
【００７１】
以上の説明から分かるように、スライド型の携帯電話機１０は、平面矩形である、第１筐体Ｃ１、第２筐体Ｃ２および第３筐体Ｃ３を備える。また、第２長辺が第１長辺より長く、そのために第１筐体Ｃ１の閉状態において、第２筐体Ｃ２の上面が遮蔽部と露出部とに区分される。さらに、第１筐体Ｃ１と第２筐体Ｃ２とは第１スライド機構５０によって、第１筐体Ｃ１を短辺方向へスライド可能に連結され、第２筐体Ｃ２と第３筐体Ｃ３とは第２スライド機構６０によって、第３筐体Ｃ３を長辺方向へスライド可能に連結される。
【００７２】
また、第１筐体Ｃ１の上面にはディスプレイ２６が設けられる。さらに、第２筐体Ｃ２の上面には、遮蔽部にＱＷＥＲＴＹキーボード２２ｂが設けられ、露出部にポインティングデバイスである十字キーを含むタッチキー３２が設けられる。そして、第３筐体Ｃ３の上面には、第３筐体がスライドすることで露出するテンキー２２ａが設けられる。
【００７３】
このように、ポインティングデバイスとＱＷＥＲＴＹキーボードとが同じ面に設けられるため、文字入力操作とポインティング操作を同時に行うことが可能な携帯電話機１０の操作性を高めることができる。
【００７４】
また、使用者は、第３筐体Ｃ３をスライドさせてテンキー２２ａを露出させることで、従来のようなスライド型の携帯電話機として利用することもできる。
【００７５】
さらに、本実施例の携帯電話機１０では、タッチキー３２が第２筐体Ｃ２の露出部に設けられ、テンキー２２ａが第３筐体Ｃ３の上面に設けられるため、使用者は、テンキー２２ａとタッチキー３２とに対する操作の切り替えを簡単に行える。たとえば、タッチキー３２が第１筐体Ｃ１の上面にも設けられる場合に、タッチキー３２とテンキー２２ａとの距離が第２筐体Ｃ２の厚みによって離れてしまう。この場合、使用者は、本実施例における携帯電話機１０に比べて、テンキー２２ａとタッチキー３２とに対する操作の切り替えを行いにくくなる。
【００７６】
なお、本実施例では、ディスプレイ２６にはＬＣＤモニタが利用されるが、他の有機ＥＬパネルなどの他の表示装置が利用されてもよい。また、第１磁気センサ３６および第２磁気センサ３８によって、携帯電話機１０の閉状態、第１開状態および第２開状態を検出するようにしたが、機械式のスイッチや、他のセンサを利用して検出してもよい。また、タッチキー３２に含まれる十字キーは、機械式のスイッチキーで構成されてもよい。
【００７７】
また、携帯電話機１０の通信方式には、CDMA方式に限らず、W-CDMA方式、TDMA方式、PHS方式およびGSM方式などを採用してもよい。
【符号の説明】
【００７８】
１０    …  携帯電話機
２０    …  プロセサ
２２    …  キー入力装置
２２ａ    …  テンキー
２２ｂ    …  ＱＷＥＲＴＹキーボード
２６    …  ディスプレイ
３２    …  タッチキー
５０    …  第１スライド機構
６０    …  第２スライド機構
７０    …  ポインティングスティック
７２    …  トラックボール
７４    …  ジョグダイヤル
８０    …  サブディスプレイ
８２    …  タッチパネル
Ｃ１    …  第１筐体
Ｃ２    …  第２筐体
Ｃ３    …  第３筐体
【図１】
2011010051.tif 000003
【図２】
2011010051.tif 000004
【図３】
2011010051.tif 000005
【図４】
2011010051.tif 000006
【図５】
2011010051.tif 000007
【図６】
2011010051.tif 000008
【図７】
2011010051.tif 000009
【図８】
2011010051.tif 000010
【図９】
2011010051.tif 000011
【図１０】
2011010051.tif 000012